(57)【要約】【課題】踵骨、距骨の位置を支持することにより、腓骨を安定化させ、それにより体全体へのゆがみの伝搬を防止すること。【解決手段】靴用インソールは、靴底に設けられるソール状の底部と、前記底部から隆起し、複数の中足骨を前記靴底側から支えるように形成される前方支持凸部と、前記底部から隆起し、踵骨前方の内側を前記靴底側から支えるように形成される踵骨支持凸部を備え、踵骨支持凸部の前後方向の厚みは、内側縦アーチ側で広く、外側縦アーチ側で狭く形成される。【選択図】図１
2019217063.tif 000002
【特許請求の範囲】
【請求項１】
靴底に設けられるソール状の底部と、
前記底部から隆起し、複数の中足骨を前記靴底側から支えるように形成される前方支持凸部と、
前記底部から隆起し、踵骨前方の内側を前記靴底側から支えるように形成される踵骨支持凸部を備え、
前記踵骨支持凸部の前後方向の厚みは、内側縦アーチ側で広く、外側縦アーチ側で狭く形成される、
靴用インソール。
【請求項２】
前記前方支持凸部は、第二、第三、第四中足骨と前記靴底との間で、前記底部から生じる隆起部分である、請求項１に記載の靴用インソール。
【請求項３】
前記踵骨支持凸部は、踵骨前方と内側縦アーチの間を頂部として支えるように形成される、請求項１に記載の靴用インソール。
【請求項４】
前記踵骨支持凸部に対して後方に、前記底部から隆起することで形成される踵後方支持部をさらに備える、請求項１に記載の靴用インソール。
【請求項５】
前記踵骨支持凸部の高さ方向の厚みは、内側縦アーチ側で広く、外側縦アーチ側で狭く形成される、請求項１に記載の靴用インソール。
【発明の詳細な説明】
【技術分野】
【０００１】
本発明は、靴用インソールに関する。
【背景技術】
【０００２】
履物に使用するインソール（中敷きパッド）として、例えばインソールの適部に種々の形態の凹凸を形成して、足骨格や筋肉作用の不具合の矯正、又は良好なバランス確保等を狙ったものが提案されている（特許文献１参照）。
【０００３】
例えば特許文献１の場合では、インソール表面の外側（足の小指側）にスポット状に設けた隆起部と、インソール表面の内側（足の親指側）にスポット状に設けた凹部とを、歩行時の足裏の重心移動ラインに沿って配設している。このように、インソールに隆起部や凹部を適宜配置することにより、足関節の歪みを除いたり、マッサージ効果を与えたり、姿勢や運動機能の向上などの様々な効果を狙ったインソールがこれまで数多く出てきている。
【先行技術文献】
【特許文献】
【０００４】
【特許文献１】特許５３９０８３４号公報
【発明の概要】
【発明が解決しようとする課題】
【０００５】
一方で、人の健康の要素として、足のゆがみが全身に及ぼす影響が挙げられる。例えば、足の立ち位置が崩れたときにその結果として腓骨が下方に引っ張られ、バランスが崩れることでゆがみが全身へ拡大するというものがある。腓骨の位置が下方に引き下げられることで、膝から上の骨格へ影響を及ぼし、全身のゆがみへと問題が拡大する。そのことが、様々な症状を引き起こしている。
【０００６】
具体的には以下のようにして腓骨への悪影響が現れる。まず、（１）重力負荷により、バランサーの「距骨」が捻転しながら前下方へスライド移動する。（２）次に、足のアーチが崩れ、立方骨、舟状骨が全体的に引き下がり、５本ある中足骨のアーチも崩れてくる。（３）そして、踵骨前方と立方骨の下にある空間が下がってくることでスプリングとしての役割がなくなると同時に腓骨と距骨の関節部分も引き下げられる。そして最終的に、（４）膝、股関節などゆがみが伝播し全身へ拡大する。そこで、日常的に装着する履物を通して、踵骨、距骨の位置を支持することにより、腓骨を安定化させ、それにより体全体へのゆがみの伝搬を防止することが求められてきた。
【課題を解決するための手段】
【０００７】
本発明に係る靴用インソールは、靴底に設けられるソール状の底部と、前記底部から隆起し、複数の中足骨を前記靴底側から支えるように形成される前方支持凸部と、前記底部から隆起し、踵骨前方の内側を前記靴底側から支えるように形成される踵骨支持凸部を備え、前記踵骨支持凸部の前後方向の厚みは、内側縦アーチ側で広く、外側縦アーチ側で狭く形成される。
【発明の効果】
【０００８】
本発明によれば、前方支持凸部により中足骨から足を持ち上げ、持ち上がった足の踵骨前方を、内側に広く外側に狭く形成された踵骨支持凸部により支持することにより、踵骨前方を持ち上げ、距骨を理想的な場所に戻すとともに、腓骨の位置を上方へ押し上げることができる。その結果、腓骨の位置を正常化し、それにより健康を増進することができる。
【図面の簡単な説明】
【０００９】
【図１】本実施の形態に係るインソールの隆起部分と足の配置との関係を示す図である。
【図２】本実施の形態に係る前方支持凸部の隆起の高さを示す図である。
【図３】本実施の形態に係る踵骨支持凸部の隆起の高さを示す図である。
【図４】本実施の形態に係るインソールの装着時の高さを、足の形状と比較した図である。
【図５】本実施の形態に係る前方支持凸部の足に対する作用を示す図である。
【図６】本実施の形態に係る踵骨支持凸部の足に対する作用を示す図である。
【発明を実施するための形態】
【００１０】
図１は、本実施の形態に係るインソールの隆起部分と足の配置との関係を示す図である。図１は、右足を裏から見た場合について示している。図１に示す足は、親指、人差し指、中指、薬指、小指に相当する足の指があり、いずれも指の先は基節骨に連なり種子骨により連結され、それぞれ第一〜第五中足骨に連結されている。さらにその先に舟状骨、距骨が連なり、足の踵の部分に踵骨が連結されている。
【００１１】
足の裏のうち、土踏まずの部分には、いわゆる外側縦アーチと内側縦アーチが形成されている。外側縦アーチとは、踵の部分から足の小指方向に形成されるアーチ形状である。内側縦アーチとは、踵の部分から足の親指方向に形成されるアーチ形状である。このように左右方向のうちの親指方向を内側、小指方向を外側と定義する。
【００１２】
図１に示すインソール１０は、靴底に設けられるソール状の底部であり、基節骨に連なる種子骨の部分から、中足骨を経て足の踵の部分までにまたがった大きさとなっている。図１ではインソール１０に取り付けた隆起形状を説明するのに必要な大きさのみ示しているが、インソール１０については、通常の大きさのように種子骨のさらに先のつま先部分まで延びた大きさとしても良い。
【００１３】
インソール１０には、前方支持凸部１１、踵骨支持凸部１２、踵支持部１３がそれぞれ設けられ、それぞれ隆起部分として形成されることにより、足の裏を支持して刺激し、足の該当する箇所を上方へ持ち上げる役割を果たしている。
【００１４】
前方支持凸部１１は、インソール１０から隆起し、複数の中足骨をインソール１０側から支えるように形成される。前方支持凸部１１は、第一〜第五中足骨に対応する位置でインソール１０に対して隆起した構成である。特に、前方支持凸部１１は、第二、第三、第四中足骨とインソール１０との間で、前記底部から生じる隆起部分である。
【００１５】
踵骨支持凸部１２は、踵骨前方部分に対応する位置でインソール１０に対して隆起した構成である。踵骨支持凸部１２は、インソール１０から隆起し、踵骨前方の内側をインソール１０側から支えるように形成される。踵骨支持凸部１２の前後方向の厚みは、内側縦アーチ側で広く、外側縦アーチ側で狭く形成される。踵骨支持凸部１２は、踵骨前方と内側縦アーチの間を頂部として支えるように形成される。踵骨支持凸部１２の高さ方向の厚みは、内側縦アーチ側で広く、外側縦アーチ側で狭く形成される。
【００１６】
踵後方支持部１３は、踵骨後方部分に対応する位置でインソール１０に対して隆起した構成である。踵後方支持部１３は、踵骨支持凸部１２に対して後方に、前記底部から隆起することで形成される。
【００１７】
図２は、本実施の形態に係る前方支持凸部の隆起の高さを示す図である。前方支持凸部１１は、図１に示したように、足の前後方向に短く、足の前後方向に対して垂直となる横向き方向に長い、横長構成として形成されている。前方支持凸部１１の高さは、第二〜第四中足骨に対応する位置の真下に配置され、横方向端部にて低く、中央部分にて高くなるように左右均等な高さ配置となっている。
【００１８】
図３は、本実施の形態に係る踵骨支持凸部の隆起の高さを示す図である。踵骨支持凸部１２は、図１に示したように、足の前後方向に短く、足の前後方向に対して垂直となる横向き方向に長い、横長構成として形成されている。踵骨支持凸部１２の高さは、親指側、すなわち第二中足骨の位置で最も高く、第三、第四中足骨の側に進むにつれてなだらかに高さが下がる構成になっている。
【００１９】
すなわち、踵骨支持凸部１２の高さは、左右で親指側が高く、小指側が低い配置になっている。さらに幅についても、踵骨支持凸部１２は、親指側＝内側に広く、小指側＝外側に狭く形成する。このように内側を高く、そして広くすることで、踵骨前方そして内側をより持ち上げる構造にしている。それにより、距骨を理想的な場所に戻すとともに、腓骨の位置を上方へ押し上げる構成となっている。このようにして、腓骨の位置を正常化し、それにより健康を増進することができる。
【００２０】
図４は、本実施の形態に係るインソールの装着時の高さを、足の形状と比較した図である。図２及び図３では右足の裏面から、インソール１０及び装着される足を示したのに対して、図４では、右足の右側すなわち外側から、インソール１０及び装着される足を示す。まずインソール１０の足の指先の側に、前方支持凸部１１が設けられており、種子骨の中足骨側に当たる構成となっている。第二〜第四中足骨種子骨を支える事によりテコの原理を利用して中足骨後方に存在するアーチをサポートする。
【００２１】
さらに踵側に進み、踵前方の位置に踵骨支持凸部１２が設けられ、踵骨前方を持ち上げる構造になっている。踵骨前方を内側を中心に支える事により、足根骨を正常の場所に戻すことで足のアーチ構造の回復と足首から上の脛骨、腓骨の位置関係が安定することで全身のバランスを整えることができる。さらに踵支持部１３を設けることにより、持ち上がられた踵部を、持ち上げられた高さに保持する。
【００２２】
図５は、本実施の形態に係る前方支持凸部の足に対する作用を示す図である。まず右足（又は左足）について、爪先２１と、基節骨２２と、他の部分２０として図示している。人の足について説明のために前後方向に分割して図示する。ここで、図１〜図３にて説明したように、インソール１０の前方には前方支持凸部１０が設けられている。
【００２３】
前方支持凸部１１の隆起により、矢印２４に示す下向き方向の支持力が他の部分２０の前方に加わると共に、矢印２５に示す上向き方向の支持力が他の部分２０の後方に加わる。このように前方支持凸部１１が中足骨を支えることで楔状骨を間接的に押し上げる。さらに後述の通り踵骨支持凸部１２が舟状骨、立方骨を間接的に押し上げることに繋がる。結果的に前方支持凸部１１と踵骨支持凸部１２によって間接的にアーチ構造をサポートすることが可能になる。
【００２４】
図６は、本実施の形態に係る踵骨支持凸部の足に対する作用を示す図である。踵骨支持凸部１２により、図３及び図４にて説明したように、踵骨前方が押し上げられる。踵骨前方の押し上げ作用を、矢印３０に示す。そして矢印３１に示すように、距骨が理想的な場所に戻る。このように、前内方に傾斜してしまっている踵骨を支えることで同じく前内方にスライドしてしまっている距骨を後方へ戻すことができる。距骨を理想的な場所に戻すことができることで距腓関節のゆがみをととのえる事が可能になる。
【００２５】
そしてさらに矢印３２に示すように、腓骨の位置を上方へ押し上げることができる。このように、靭帯の関連で下方へ引き下げられてしまっていた腓骨を上方へ戻すことができることができる。踵骨前方が踵骨支持凸部１２によって押し上げられることで、立方骨や舟状骨の位置も上方に位置することができるようになる。
【００２６】
ここで、インソール１０は構造的足アーチを直接的に支えることはしない。それはアーチ構造の持つスプリングの働きをなくしてしまわないようにするためである。以上の結果として、脛骨と腓骨の位置関係が理想的な状態に戻ることで筋肉や筋膜の緊張がなくなり下半身が安定する。結果的に骨盤や全身の緊張を緩和させることが可能になる。
【符号の説明】
【００２７】
インソール１０、前方支持凸部１１、踵骨支持凸部１２
爪先２１、基節骨２２、他の部分２３
【図１】
2019217063.tif 000003
【図２】
2019217063.tif 000004
【図３】
2019217063.tif 000005
【図４】
2019217063.tif 000006
【図５】
2019217063.tif 000007
【図６】
2019217063.tif 000008